(57)【要約】【課題】ロック爪が破損したＬＡＮケーブルを再利用すること。【解決手段】突起２２に設けられたロック爪が破損した爪折れオスプラグ２０が挿入される受け口及び爪折れオスプラグ２０の接続端子と接する端子１９を有するメスアダプタ１１と、該メスアダプタ１１とケーブル１３を介して接続されるオスプラグ１２とを備え、前記メスアダプタ１１が、爪折れオスプラグ２０の接続端子が端子１９に接するように弾性復元力により押しつける固定用爪１６と、固定用爪１６の上端に固着されてメスアダプタ１１の上部を貫通し、引き上げられることにより係止を解除する取外し用プルスイッチ１５を備えた再利用ＬＡＮコネクタ。【選択図】図１
2015095367.tif 000002
【特許請求の範囲】
【請求項１】
突起に設けられたロック爪が破損した爪折れオスプラグが挿入される受け口及び爪折れオスプラグの接続端子と接する端子を有するメスアダプタと、該メスアダプタとケーブルを介して接続されるオスプラグとを備える再利用ＬＡＮコネクタであって、
前記メスアダプタが、爪折れオスプラグの接続端子が前記端子に接するように突起に係止させる係止手段と、該係止手段による係止を解除する解除手段とを備えたことを特徴とする再利用ＬＡＮコネクタ。
【請求項２】
突起に設けられたロック爪が破損した爪折れオスプラグが挿入される受け口及び爪折れオスプラグの接続端子と接する端子を有するメスアダプタと、該メスアダプタとケーブルを介して接続されるオスプラグとを備える再利用ＬＡＮコネクタであって、
前記メスアダプタが、爪折れオスプラグの接続端子が前記端子に接するように弾性復元力により押しつける係止手段である固定用爪と、該固定用爪の上端に固着されてメスアダプタの上部を貫通し、引き上げられることにより前記係止を解除する解除手段である取り外し用プルスイッチとを備えたことを特徴とする再利用ＬＡＮコネクタ。
【請求項３】
突起に設けられたロック爪が破損した爪折れオスプラグが挿入される受け口及び爪折れオスプラグの接続端子と接する端子を有するメスアダプタと、該メスアダプタとケーブルを介して接続されるオスプラグとを備える再利用ＬＡＮコネクタであって、
前記メスアダプタが、前面及び上面が開口して端子が配置された箱形状の下受部と、前記下受部の上側に配置されて前面及び上面が開口して上側内壁に弾性材料の固定用爪が設けられた箱形状の上受部と、該下受部及び上受部の開閉を行うためのヒンジとによって爪折れプラグに対する係止手段及び解除手段を構成したことを特徴とする再利用ＬＡＮコネクタ。
【請求項４】
突起に設けられたロック爪が破損した爪折れオスプラグが挿入される受け口及び爪折れオスプラグの接続端子と接する端子を有するメスアダプタと、該メスアダプタとケーブルを介して接続されるオスプラグとを備える再利用ＬＡＮコネクタであって、
前記メスアダプタが、メスアダプタの上面に設けた貫通孔及び該貫通孔を貫通して端部に緩衝材が取り付けられた固定用ネジにより爪折れプラグに対する係止手段及び解除手段を構成したことを特徴とする再利用ＬＡＮコネクタ。
【発明の詳細な説明】
【技術分野】
【０００１】
本発明は、ＬＡＮ接続を行うためのＬＡＮケーブルの端部に取り付けられたプラグのロック爪が破損した場合であってもＬＡＮケーブルを再利用することができる再利用ＬＡＮコネクタに関する。
【背景技術】
【０００２】
一般にコンピュータ機器に使用されるＬＡＮケーブルは、両端にＲＪ−４５と呼ばれるオスプラグ（モジュラージャックとも呼ばれる）が取り付けられ、このオスプラグをコンピュータ機器のメスプラグ（モジュラージャックとも呼ばれる）に挿入することによって、信号の伝達を行うように構成され、挿入側のオスプラグにはメスプラグに挿入した際の脱落を防止するための弾性材料のロック爪が設けられている。
【０００３】
このオスプラグのロック爪は、メスプラグに挿入されたときに爪自体の弾性復元力によりメスプラグ内に係止するように構成されているが、ＬＡＮケーブルの差し替えを繰り返すことによりロック爪が破損することがあり、この破損の際にはＬＡＮケーブルを交換するか破損したオスプラグ側のケーブルを切断し、特殊工具を使用して新しいオスプラグに手作業によって交換する必要がある。
このＬＡＮケーブルのロック爪が破損したオスプラグの再利用に関する技術が記載された文献としては下記の特許文献が挙げられ、この特許文献には、ロック爪の基端部に突き当てられてオスプラグの上面に接着剤により固着される固着板部と、ロック爪の基端部とほぼ同じ幅を有し固着板部の先端から斜め上後方に鋭角に折り曲げられた弾性係止板部と、ロック爪の先端部とほぼ同じ幅を有し弾性係止板部からさらに後方に突設された操作板部とから構成されたロック爪代替用冶具が記載されている。
【先行技術文献】
【特許文献】
【０００４】
【特許文献１】特開２００５−１４２１２７号公報
【発明の概要】
【発明が解決しようとする課題】
【０００５】
前述の特許文献１記載技術は、破損したロック爪と同様な弾性係止板部をオスプラグの上面に取り付けてオスプラグを再利用することができるものの、オスプラグの上面に接着剤により固着板部を固着しているため、繰り返し使用により接着剤が剥がれて弾性係止板部がメスプラグ内に残留して使用することが困難になる可能性があるという課題があった。
【０００６】
本発明の目的は、前述の従来技術による課題を解決しようとするものであり、容易にロック爪が破損したＬＡＮケーブルを再利用することができる再利用ＬＡＮコネクタを提供することである。
【課題を解決するための手段】
【０００７】
前記目的を達成するため本発明は、突起に設けられたロック爪が破損した爪折れオスプラグが挿入される受け口及び爪折れオスプラグの接続端子と接する端子を有するメスアダプタと、該メスアダプタとケーブルを介して接続されるオスプラグとを備える再利用ＬＡＮコネクタであって、
前記メスアダプタが、爪折れオスプラグの接続端子が前記端子に接するように突起に係止させる係止手段と、該係止手段による係止を解除する解除手段とを備えたことを第１の特徴とする。
【０００８】
また、本発明は、突起に設けられたロック爪が破損した爪折れオスプラグが挿入される受け口及び爪折れオスプラグの接続端子と接する端子を有するメスアダプタと、該メスアダプタとケーブルを介して接続されるオスプラグとを備える再利用ＬＡＮコネクタであって、
前記メスアダプタが、爪折れオスプラグの接続端子が前記端子に接するように弾性復元力により押しつける係止手段である固定用爪と、該固定用爪の上端に固着されてメスアダプタの上部を貫通し、引き上げられることにより前記係止を解除する解除手段である取り外し用プルスイッチとを備えたことを第２の特徴とする。
【０００９】
また、本発明は、突起に設けられたロック爪が破損した爪折れオスプラグが挿入される受け口及び爪折れオスプラグの接続端子と接する端子を有するメスアダプタと、該メスアダプタとケーブルを介して接続されるオスプラグとを備える再利用ＬＡＮコネクタであって、
前記メスアダプタが、前面及び上面が開口して端子が配置された箱形状の下受部と、前記下受部の上側に配置されて前面及び上面が開口して上側内壁に弾性材料の固定用爪が設けられた箱形状の上受部と、該下受部及び上受部の開閉を行うためのヒンジとによって爪折れプラグに対する係止手段及び解除手段を構成したことを第３の特徴とする。
【００１０】
また、本発明は、突起に設けられたロック爪が破損した爪折れオスプラグが挿入される受け口及び爪折れオスプラグの接続端子と接する端子を有するメスアダプタと、該メスアダプタとケーブルを介して接続されるオスプラグとを備える再利用ＬＡＮコネクタであって、
前記メスアダプタが、メスアダプタの上面に設けた貫通孔及び該貫通孔を貫通して端部に緩衝材が取り付けられた固定用ネジにより爪折れプラグに対する係止手段及び解除手段を構成したことを第４の特徴とする。
【発明の効果】
【００１１】
本発明による再利用ＬＡＮコネクタは、ロック爪が破損した爪折れオスプラグが挿入される受け口及び爪折れオスプラグの接続端子と接する端子を有するメスアダプタと、該メスアダプタとケーブルを介して接続されるオスプラグとを備え、メスアダプタが、爪折れオスプラグの接続端子が前記端子に接するように突起に係止させる係止手段と、該係止手段による係止を解除する解除手段とを備えたことによって、ロック爪が破損したＬＡＮケーブルを再利用することができる。
【図面の簡単な説明】
【００１２】
【図１】本発明の第１実施形態による再利用ＬＡＮコネクタを説明するための図。
【図２】本発明の第２実施形態による再利用ＬＡＮコネクタを説明するための図。
【図３】本発明の第３実施形態による再利用ＬＡＮコネクタを説明するための図。
【発明を実施するための形態】
【００１３】
以下、本発明による再利用ＬＡＮコネクタの複数の実施形態を図面を参照して詳細に説明する。
［第１実施形態］
本発明の第１実施形態による再利用ＬＡＮコネクタ１０は、図１に示す如く、突起２２に設けられたロック爪が破損したオスプラグである爪折れオスプラグ２０が挿入される受け口を有するメスアダプタ１１と、該メスアダプタ１１とケーブル１３を介して接続されるオスプラグ１２とから構成され、前記メスアダプタ１１は、爪折れオスプラグ２０の接続端子と接する端子１９と、爪折れオスプラグ２０の接続端子が端子１９に接するように弾性復元力により押しつける固定用爪１６と、該固定用爪１６の上端に固着されてメスアダプタ１１の上部を貫通する取外し用プルスイッチ１５を備え、前記端子１９がケーブル１３の配線１８を介してオスプラグ１２の端子１９と電気的接続するように構成され、前記オスプラグ１２は（通常の）ロック爪１７が設けられている。
【００１４】
このように構成された再利用ＬＡＮコネクタ１０は、メスアダプタ１１の開口部に爪折れオスプラグ２０を挿入したとき、内部の固定用爪１６が弾性力により変形しながら爪折れオスプラグ２０の突起２２を含む先端の挿入を許容し、最奥まで爪折れオスプラグ２０の先端が挿入されたとき、前記突起２２に固定用爪１６が係止することによって爪折れオスプラグ２０の端子１９に押しつけることができ、この状態でオスプラグ１２をコンピュータ機器のモジュラージャックに挿入することにより、容易にロック爪が破損したＬＡＮケーブルを再利用することができる。
【００１５】
また、本実施形態による再利用ＬＡＮコネクタ１０は、前記取り外し用プルスイッチ１５を上方向に引き上げることによって、固定用爪１６の先端部と突起２２との係止を解除し、爪折れオスプラグ２０を抜くこともできる。
【００１６】
このように本実施形態による再利用ＬＡＮコネクタ１０は、メスアダプタ１１の内部に爪折れオスプラグ２０の突起２２に係止し、取り外し用プルスイッチ１５により当該係止を解除する係止手段である固定用爪１６を配置し、該固定用爪１６による突起２２への係止を解除する解除手段である取り外し用プルスイッチ１５を設けたことにより、ロック爪が破損したＬＡＮケーブルを再利用することができる。
【００１７】
［第２実施形態］
また、本発明による再利用ＬＡＮコネクタは、前述の実施形態に記載した取り外し用プルスイッチ１５を用いる構造に限定されるものではなく、図２に示す如く、前面及び上面が開口し、奥側に端子１９が配置された箱形状の下受部３１ａと、前面及び上面が開口し、上側内壁に弾性材料の固定用爪１６が設けられ、前記下受部３１ａの上側に被される箱形状の上受部３１ｂと、該下受部３１ａ及び上受部３１ｂの矢印Ａ方向の開閉を行うためのヒンジ３２とを含むメスアダプタ３１とから再利用ＬＡＮコネクタ３０を構成しても良い。尚、図２中の他の符号を付した部位は図１に示した部位と同じであり、他の実施形態でも同様である。
【００１８】
このように構成された再利用ＬＡＮコネクタ３０は、前記下受部３１ａに対して上受部３１ｂをヒンジ３２を回転中心として開いた状態で開口部に爪折れオスプラグ２０を置き、上受部３１ｂを閉めることによって、固定用爪１６が突起部と係止し爪折れオスプラグ２０をメスアダプタ３１に取り付けることができ、この状態でオスプラグ１２をコンピュータ機器のモジュラージャックに挿入することにより、容易にロック爪が破損したＬＡＮケーブルを再利用することができる。
【００１９】
また、本実施形態による再利用ＬＡＮコネクタ３０は、前記上受部３１ｂを開けることによって、固定用爪１６の先端部と突起２２との係止を解除し、爪折れオスプラグ２０を抜くこともできる。尚、図示では下受部３１ａと上受部３１ｂを閉じた状態でロックする機構を省略しているが、このロック機構は、例えば、閉じた状態の側面に閉じた状態で係合する２つの爪構造によって構成しても良く、前記開閉する下受部３１ａと上受部３１ｂが係止手段及び解除手段を構成する。
【００２０】
このように本実施形態による再利用ＬＡＮコネクタ３０は、上内壁側に固定用爪１６を設けたメスアダプタ３１を開閉自在に構成し、メスアダプタ３１を閉じた状態で固定用爪１６が爪折れオスプラグ２０の突起に係止し、メスアダプタ３１を開けることによって当該係止を解除することができ、ロック爪が破損したＬＡＮケーブルを再利用することができる。
【００２１】
［第３実施形態］
更に、本発明による再利用ＬＡＮコネクタは、前述の実施形態に記載した固定用爪１６を用いる構造に限定されるものではなく、図３に示す如く、メスアダプタ４１の上面に設けた貫通孔４６と、該貫通孔４６を貫通して端部に緩衝材４７が取り付けられた固定用ネジ４５とにより爪折れオスプラグ２０に対する係止手段及び解除手段を構成し、メスアダプタ４１に爪折れオスプラグ２０を挿入した状態で固定用ネジ４５を螺締めすることによって、固定用ネジ４５の端部に設けた緩衝材４７が爪折れオスプラグ２０を固定するように構成しても良い。この係止手段は、固定用ネジ４５を緩めることによって爪折れオスプラグ２０を取り外すことができ、ロック爪が破損したＬＡＮケーブルを再利用することができる。尚、前記固定用ネジ４５は、螺旋が刻設されたネジに限られるものではなく、貫通孔と抵抗をもって嵌合する棒状部材であっても良い。
【００２２】
［その他実施形態］
前記実施形態においては、再利用ＬＡＮコネクタは、コンピュータ機器に設けられる受け側のモジュラージャックに挿入する構造を説明したが、本発明はこれに限られるものではなく、ＬＡＮケーブルのオスプラグが挿入されるメスプラグを含むコンピュータ機器、例えば、ネットワーク間を相互接続する通信機器であるルータのメスプラグに前述した第３実施形態による貫通孔を設けておき、爪が破損したオスプラグを再利用するとき、この貫通孔に固定用ネジを取り付けるように構成しても良い。また、本発明による再利用ＬＡＮコネクタは、開閉式の第２実施形態の固定用爪１６に代えて第３実施形態の固定用ネジ４５と同様な固着部材を設け、開閉によって爪折れオスプラグ２０を係止するように構成しても良い。
【符号の説明】
【００２３】
１０  再利用ＬＡＮコネクタ、１１  メスアダプタ、１２  オスプラグ、１３  ケーブル、
１５  取り外し用プルスイッチ、
１６  固定用爪、１７  ロック爪、１８  配線、１９  端子、
２０  爪折れオスプラグ、２２  突起、３０  再利用ＬＡＮコネクタ、
３１  メスアダプタ、３１ａ  下受部、３１ｂ  上受部、３２  ヒンジ、
４１  メスアダプタ、４５  固定用ネジ、４６  貫通孔、４７  緩衝材
【図１】
2015095367.tif 000003
【図２】
2015095367.tif 000004
【図３】
2015095367.tif 000005